(57)【特許請求の範囲】
【請求項１】
ワイヤレス受信制御装置に、アンテナ装置を信号線により接続して構成され、アンテナ装置の受信用アンテナによって受信した受信データをワイヤレス受信制御装置へ
上記信号線を介して送信するワイヤレス受信システムにおいて、
上記ワイヤレス受信制御装置が、信号線を介してアンテナ装置に対し受信周波数設定信号を送出する設定信号出力手段を備え、
上記アンテナ装置は、それぞれが、上記ワイヤレス受信制御装置の増設用アンテナ装置として機能し、ワイヤレス信号受信手段の周波数を選択設定する受信周波数設定手段と、
上記ワイヤレス受信制御装置と上記信号線を通じて通信する外部インターフェイス部とを備えて構成され、ワイヤレス送信装置から受信したワイヤレス信号を復調処理した受信データを、上記外部インターフェイス部で変換して上記信号線を介して上記ワイヤレス受信制御装置へ送信することを特徴とするワイヤレス受信システム。
【請求項２】
請求項１に記載のワイヤレス受信システムにおいて、
上記受信周波数設定信号が、適用される通信システムの種別を示すシステムコードと、使用する周波数チャンネルを示すチャンネルコードとを含んで構成されることを特徴とするワイヤレス受信システム。
【請求項３】
請求項１又は２に記載のワイヤレス受信システムにおいて、
上記ワイヤレス受信制御装置の設定信号出力手段が、所定時間ごとにアンテナ装置に対し受信周波数設定信号を送出する手段として構成され、アンテナ装置が受信すべきワイヤレス信号の周波数を定期的に設定することを特徴とするワイヤレス受信システム。
【請求項４】
請求項１又は２に記載のワイヤレス受信システムにおいて、
上記ワイヤレス受信制御装置の設定信号出力手段が、上記ワイヤレス受信制御装置の電源投入後に、アンテナ装置に対し受信周波数設定信号を送出する手段として構成され、ワイヤレス受信制御装置の電源投入後に、アンテナ装置が受信すべきワイヤレス信号の周波数を設定することを特徴とするワイヤレス受信システム。
【請求項５】
請求項１又は２に記載のワイヤレス受信システムにおいて、
上記ワイヤレス受信制御装置の設定信号出力手段が、上記ワイヤレス受信制御装置のリセット後に、アンテナ装置に対し受信周波数設定信号を送出する手段として構成され、ワイヤレス受信制御装置のリセット後に、アンテナ装置が受信すべきワイヤレス信号の周波数を設定することを特徴とするワイヤレス受信システム。
【請求項６】
請求項１又は２に記載のワイヤレス受信システムにおいて、
上記ワイヤレス受信制御装置の設定信号出力手段が、ワイヤレス受信制御装置において受信周波数を変更するごとに、アンテナ装置に対し受信周波数設定信号を送出する手段として構成され、ワイヤレス受信制御装置において受信周波数を変更するごとに、アンテナ装置が受信すべきワイヤレス信号の周波数を設定することを特徴とするワイヤレス受信システム。
【請求項７】
請求項１又は２に記載のワイヤレス受信システムにおいて、
上記アンテナ装置が、ワイヤレス受信制御装置に対して受信周波数設定信号を要求する設定要求信号を送出する要求信号出力手段を備え、ワイヤレス受信制御装置の設定信号出力手段が、アンテナ装置からの上記設定要求信号に基づいて、受信周波数設定信号を送出することを特徴とするワイヤレス受信システム。
【請求項８】
請求項７に記載のワイヤレス受信システムにおいて、
上記アンテナ装置の要求信号出力手段が、上記アンテナ装置のリセット後に、ワイヤレス受信制御装置に対し受信周波数設定信号を送出する手段として構成され、アンテナ装置のリセット後に、アンテナ装置が受信すべきワイヤレス信号の周波数を設定することを特徴とするワイヤレス受信システム。
【請求項９】
請求項１から８のいずれかに記載のワイヤレス受信システムにおいて、
上記ワイヤレス受信制御装置が、ワイヤレス送信装置から発せられた周波数チャンネルコードを含む通信制御データを受信するための受信用アンテナを備え、予め定められた複数の周波数チャンネルを順次切り換えて復調し、上記通信制御データを受信する手段として構成され、上記通信制御データに含まれるチャンネル情報に基づいて、信号線を介して、ワイヤレス受信制御装置からアンテナ装置へ受信周波数設定信号を送出することを特徴とするワイヤレス受信システム。
【請求項１０】
請求項９に記載のワイヤレス通信システムにおいて、
上記ワイヤレス受信制御装置が、ワイヤレス送信装置から発せられたＩＤコード及び周波数チャンネルコードを含む通信制御データを受信するための受信用アンテナと、キャリア信号を予め設定された複数の周波数チャンネルに順次切り換える受信周波数可変手段と、受信周波数可変手段からのキャリア信号により、受信した信号を通信制御データへ復調するワイヤレス信号受信手段と、ワイヤレス信号受信手段によって復調されて、取り出されたＩＤコード及びチャンネルコードを登録する記憶手段と、この記憶手段に登録されたチャンネルコードに基づいて、上記信号線を介して、アンテナ装置に対し受信周波数設定信号を送出する設定信号出力手段を備えたことを特徴とするワイヤレス通信システム。
【請求項１１】
請求項１から１０のいずれかに記載のワイヤレス受信システムにおいて、
上記ワイヤレス受信制御装置が、上記周波数設定信号により、アンテナ装置に対して複数の周波数チャンネルを設定する手段として構成され、上記アンテナ装置が、設定された複数の周波数チャンネルを順次切り換えて復調し、ワイヤレス信号を受信するマルチスキャン型のアンテナ装置として構成されることを特徴とするワイヤレス受信システム。
【発明の詳細な説明】
【０００１】
【発明の属する技術分野】
本発明は、ワイヤレス受信システムに係り、更に詳しくは、ワイヤレス受信制御装置にアンテナ装置を信号線を介して接続して構成されるワイヤレス受信システムの改良に関する。
【０００２】
【従来の技術】
この種のワイヤレス受信システムは、ワイヤレス通信を利用して、離れた場所にある機器を制御するテレコンシステムや、離れた場所にある機器の計数値を読み取るテレメータや、室内の防災センサ、防犯センサからの発報信号を受信するセキュリティシステム等の特定小電力機器のワイヤレス通信システムに適用されるものである。
【０００３】
各ワイヤレス送信装置から発せられたワイヤレス信号を受信するワイヤレス受信装置は、一般に受信用アンテナを備えて構成されているが、ワイヤレス受信装置にアンテナ装置を増設することが必要な場合がある。例えば、３階建ての建物内で使用されるセキュリティシステムに適用される場合であって、各ワイヤレス送信装置の出力が小さいために異なる階へワイヤレス信号が到達できない場合には、１階、２階、３階のそれぞれにアンテナ装置を設置して、各アンテナ装置とワイヤレス受信装置とを有線接続することが必要となる。この様なアンテナ装置が接続されるワイヤレス受信装置を、受信用アンテナの内蔵の有無を問わず、本願明細書においてはワイヤレス受信制御装置と呼ぶものとする。
【０００４】
この様な場合には、ワイヤレス受信システムが、ワイヤレス受信制御装置と、信号線を介してこのワイヤレス受信制御装置に接続された１又は２以上のアンテナ装置とにより構成される。ワイヤレス送信装置から発せられたワイヤレス信号は、上記のいずれかのアンテナ装置により受信され、信号線を介してアンテナ装置からワイヤレス受信制御装置へ有線送信され、これを受信したワイヤレス受信制御装置は、この受信信号に基づいて所定の表示や発報等の動作を行う。
【０００５】
ここで、この様な特定小電力機器のワイヤレス通信システムについては、法令によりテレコン、セキュリティ等のシステムの種別によって使用できる周波数チャンネルが予め定められており、適用されるシステムの種別に対応した周波数チャンネルの中から特定の周波数チャンネルを選択して、変復調用のキャリア信号の周波数を決定する必要がある。
【０００６】
従って、この様なワイヤレス受信システムに使用される上記アンテナ装置には、周波数入力用スイッチが設けられ、周波数入力用スイッチを操作することにより、複数の周波数の中から特定の周波数を選択できる構成とされ、種々のワイヤレス通信システムに対応し、アンテナ装置の共通化を図っている。
【０００７】
【発明が解決しようとする課題】
一般に、ワイヤレス受信装置は、受信用アンテナを備えて構成されているため、この様なワイヤレス受信装置の場合には、受信すべき周波数をワイヤレス受信装置において設定すれば、所望の周波数のワイヤレス信号を受信することができる。
【０００８】
ところが、上述したワイヤレス受信システムの場合には、ワイヤレス受信制御装置にアンテナ装置を接続して構成され、各アンテナ装置の受信周波数は、各アンテナ装置に設けられた周波数入力用スイッチにより行われるため、複数のアンテナ装置が接続されている場合には、各アンテナ装置に対し、それぞれ設定を行う必要がある。このため、使用する周波数の設定、変更の作業が煩雑となる。特に、各アンテナ装置が離れた場所に設置されていればこの作業は、更に煩雑となる。
【０００９】
本発明は、上記の事情に鑑みてなされたもので、各アンテナ装置の受信周波数の設定、変更を容易に行うことができるワイヤレス受信システムを提供することを目的とする。
【００１０】
【課題を解決するための手段】
請求項１に記載した本発明によるワイヤレス受信システムは、ワイヤレス受信制御装置に、アンテナ装置を信号線により接続して構成され、アンテナ装置の受信用アンテナによって受信した受信データをワイヤレス受信制御装置へ上記信号線を介して送信するワイヤレス受信システムにおいて、上記ワイヤレス受信制御装置が、信号線を介してアンテナ装置に対し受信周波数設定信号を送出する設定信号出力手段を備え、上記アンテナ装置は、それぞれが、上記ワイヤレス受信制御装置の増設用アンテナ装置として機能し、ワイヤレス信号受信手段の周波数を選択設定する受信周波数設定手段と、上記ワイヤレス受信制御装置と上記信号線を通じて通信する外部インターフェイス部とを備えて構成され、ワイヤレス送信装置から受信したワイヤレス信号を復調処理した受信データを、上記外部インターフェイス部で変換して上記信号線を介して上記ワイヤレス受信制御装置へ送信する。
【００１１】
請求項２に記載した本発明によるワイヤレス受信システムは、請求項１に記載のワイヤレス受信システムであって、上記受信周波数設定信号が、適用される通信システムの種別を示すシステムコードと、使用する周波数チャンネルを示すチャンネルコードとを含んで構成される。
請求項３に記載した本発明によるワイヤレス受信システムは、請求項１又は２に記載のワイヤレス受信システムであって、上記ワイヤレス受信制御装置の設定信号出力手段が、所定時間ごとにアンテナ装置に対し受信周波数設定信号を送出する手段として構成され、アンテナ装置が受信すべきワイヤレス信号の周波数を定期的に設定するシステムとして構成される。なお、上記の所定時間とは、一定の時間又はこれに準じた時間とされる。
【００１２】
請求項４に記載した本発明によるワイヤレス受信システムは、請求項１又は２に記載のワイヤレス受信システムであって、上記ワイヤレス受信制御装置の設定信号出力手段が、上記ワイヤレス受信制御装置の電源投入後に、アンテナ装置に対し受信周波数設定信号を送出する手段として構成され、ワイヤレス受信制御装置の電源投入後に、アンテナ装置が受信すべきワイヤレス信号の周波数を設定するシステムとして構成される。
【００１３】
請求項５に記載した本発明によるワイヤレス受信システムは、請求項１又は２に記載のワイヤレス受信システムであって、上記ワイヤレス受信制御装置の設定信号出力手段が、上記ワイヤレス受信制御装置のリセット後に、アンテナ装置に対し受信周波数設定信号を送出する手段として構成され、ワイヤレス受信制御装置のリセット後に、アンテナ装置が受信すべきワイヤレス信号の周波数を設定するシステムとして構成される。
【００１４】
請求項６に記載した本発明によるワイヤレス受信システムは、請求項１又は２に記載のワイヤレス受信システムであって、上記ワイヤレス受信制御装置の設定信号出力手段が、ワイヤレス受信制御装置において受信周波数を変更するごとに、アンテナ装置に対し受信周波数設定信号を送出する手段として構成され、ワイヤレス受信制御装置において受信周波数を変更するごとに、アンテナ装置が受信すべきワイヤレス信号の周波数を設定するシステムとして構成される。
【００１５】
請求項７に記載した本発明によるワイヤレス受信システムは、請求項１又は２に記載のワイヤレス受信システムであって、上記アンテナ装置が、ワイヤレス受信制御装置に対して受信周波数設定信号を要求する設定要求信号を送出する要求信号出力手段を備え、ワイヤレス受信装置の設定信号出力手段が、アンテナ装置からの上記設定要求信号に基づいて、受信周波数設定信号を送出するシステムとして構成される。
【００１６】
請求項８に記載した本発明によるワイヤレス受信システムは、請求項７に記載のワイヤレス受信システムであって、上記アンテナ装置の要求信号出力手段が、上記アンテナ装置のリセット後に、ワイヤレス受信制御装置に対し受信周波数設定信号を送出する手段として構成され、アンテナ装置のリセット後に、アンテナ装置が受信すべきワイヤレス信号の周波数を設定するシステムとして構成される。
請求項９に記載した本発明によるワイヤレス受信システムは、請求項１から８のいずれかに記載のワイヤレス受信システムであって、上記ワイヤレス受信制御装置が、ワイヤレス送信装置から発せられた周波数チャンネルコードを含む通信制御データを受信するための受信用アンテナを備え、予め定められた複数の周波数チャンネルを順次切り換えて復調し、上記通信制御データを受信する手段として構成され、上記通信制御データに含まれるチャンネル情報に基づいて、信号線を介して、ワイヤレス受信制御装置からアンテナ装置へ受信周波数設定信号を送出する構成とされる。
【００１７】
請求項１０に記載した本発明によるワイヤレス受信システムは、請求項９に記載のワイヤレス通信システムであって、上記ワイヤレス受信制御装置が、ワイヤレス送信装置から発せられたＩＤコード及び周波数チャンネルコードを含む通信制御データを受信するための受信用アンテナと、キャリア信号を予め設定された複数の周波数チャンネルに順次切り換える受信周波数可変手段と、受信周波数可変手段からのキャリア信号により、受信した信号を通信制御データへ復調するワイヤレス信号受信手段と、ワイヤレス信号受信手段によって復調されて、取り出されたＩＤコード及びチャンネルコードを登録する記憶手段と、この記憶手段に登録されたチャンネルコードに基づいて、上記信号線を介して、アンテナ装置に対し受信周波数設定信号を送出する設定信号出力手段を備えて構成される。
【００１８】
請求項１１に記載した本発明によるワイヤレス受信システムは、請求項１から１０のいずれかに記載のワイヤレス受信システムであって、上記ワイヤレス受信制御装置が、上記周波数設定信号により、アンテナ装置に対して複数の周波数チャンネルを設定する手段として構成され、上記アンテナ装置が、設定された複数の周波数チャンネルを順次切り換えて復調し、ワイヤレス信号を受信するマルチスキャン型のアンテナ装置として構成される。
【００１９】
【発明の実施の態様】
請求項１に記載した本発明によるワイヤレス受信システムのシステム構成の一例を図１に示す。このワイヤレス受信システムは、ワイヤレス受信制御装置１と、複数のアンテナ装置２とが信号線３により接続されて構成される。
図示したワイヤレス受信制御装置１は、受信用アンテナ１０を備えて構成されており、ワイヤレス受信制御装置１に接続される各アンテナ装置２は、増設用アンテナ装置であるが、本発明は、ワイヤレス受信制御装置１が受信用アンテナ１０を備えていないシステムにも適用できる。また、上記信号線３は、電源ライン、グランドライン、データラインにより構成され、更にデータラインは複数の信号線で構成することもできる。
【００２０】
上記ワイヤレス受信制御装置１は、データラインを介して各増設用アンテナ装置２に対し受信周波数設定信号を送出し、これを受信した増設用アンテナ２は、この受信周波数設定信号に基づいて、受信すべきワイヤレス信号の周波数を設定する。
この様にして受信すべきワイヤレス信号の周波数が設定された後に、増設用アンテナ装置２が、設定された周波数のワイヤレス信号を受信すると、受信データが上記データラインを介してワイヤレス受信制御装置１へ送出される。ワイヤレス受信制御装置１は、この受信データに基づいて所定の動作を行う。例えば、セキュリティシステムの場合、受信データが火災感知器からの発報信号であれば、火災警報を報知する。
【００２１】
図１に示したワイヤレス受信制御装置１の一構成例を図２に示す。このワイヤレス受信制御装置１は、受信用アンテナ１０と、信号処理部１１と、ワイヤレス信号受信部１２と、受信周波数可変部１３と、メモリ部１４、報知／表示部１５と、外部インターフェイス部１６と、周波数入力部１７とにより構成される。
受信用アンテナ１０が、ワイヤレス送信装置（不図示）から発せられたワイヤレス信号を受信すると、この受信信号は、ワイヤレス信号受信部１２へ入力される。この受信信号はワイヤレス信号受信部１２において復調処理されて、信号処理部１１へ入力される。
【００２２】
信号処理部１１は、メモリ部１４に格納されたプログラムに従ってワイヤレス受信制御装置１の全体を制御する回路であり、メモリ部１４とともにマイコンにより構成することができる。この信号処理部１１にワイヤレス受信部１２からの復調処理後の受信データが入力されると、信号処理部１１は、この受信データに基づいて、報知／表示部１５に対して所定の制御信号を出力し、この報知／表示部１５が、所定の発報や表示を行う。
【００２３】
また、信号処理部１１は、周波数入力部１７において設定された周波数に基づいて、受信周波数可変部１３に対して制御信号を出力する。受信周波数可変部１３は、複数の周波数の中から特定の周波数を選択して、その周波数の周期信号を発生させることができる周波数可変の発振回路であり、信号処理部１１からの上記制御信号に基づいて、周波数入力部１７において設定された周波数のキャリア信号を出力する。この様にして生成されたキャリア信号を用いて、ワイヤレス信号受信部１２の復調処理が行われる。
【００２４】
さらに、信号処理部１１は、外部インターフェース部１６を介して増設用アンテナ装置２と有線通信を行う。即ち、増設用アンテナ装置２へのデータ送信は、外部インターフェイス部１６が、信号処理部１１から出力された送信データの変換を行って、信号線３へ出力する。一方、増設用アンテナ装置２からのデータ受信は、外部インターフェイス部１６が、信号線３上の受信データを変換して、信号処理部１１へ入力する。なお、受信用アンテナ１０を備えていないワイヤレス受信制御装置１の場合には、ワイヤレス信号受信部１２及び受信周波数可変部１３が不要となる。
【００２５】
次に、図１に示したアンテナ装置２の一構成例を図３に示す。このアンテナ装置２は、受信用アンテナ２０と、信号処理部２１と、ワイヤレス信号受信部２２と、受信周波数可変部２３と、報知／表示部２５と、外部インターフェイス２６とにより構成され、周波数入力部を備えていない。
受信用アンテナ２０が、ワイヤレス送信装置から発せられたワイヤレス信号を受信すると、この受信信号は、ワイヤレス信号受信部２２へ入力される。この受信信号はワイヤレス信号受信部２２において復調処理されて、信号処理部２１へ入力される。
【００２６】
信号処理部２１は、マイコン等により構成される制御回路であり、この信号処理部２１にワイヤレス受信部２２からの復調処理後の受信データが入力されると、この受信データに基づいて、報知／表示部２５に対して所定の制御信号を出力し、この報知／表示部２５が、所定の発報や表示を行うとともに、上記ワイヤレス信号のデータを含んだ受信情報信号を信号線３を介してワイヤレス受信制御装置１へ送信する。
【００２７】
また、信号処理部２１は、上記有線通信によりワイヤレス受信制御装置１からの受信周波数設定信号に基づいて、受信周波数可変部２３に対して制御信号を出力する。受信周波数可変部２３は、複数の周波数の中から特定の周波数を選択して、その周波数の周期信号を発生させることができる周波数可変の発振回路であり、信号処理部２１からの上記制御信号に基づいて、ワイヤレス受信制御装置１において設定された周波数のキャリア信号を出力する。この様にして生成されたキャリア信号を用いて、ワイヤレス信号受信部２２の復調処理が行われる。即ち、信号処理部２１は、受信周波数設定手段として機能する。
ここで、ワイヤレス受信制御装置１へのデータ送信は、外部インターフェイス部２６が、信号処理部２１から出力された送信データの変換を行って、信号線３へ出力する一方、ワイヤレス受信制御装置１からのデータ受信は、外部インターフェイス部２６が、信号線３上の受信データを変換して、信号処理部２１へ入力する。
【００２８】
これらのワイヤレス受信制御装置１及びアンテナ装置２により構成されるワイヤレス受信システムの基本動作について以下に説明する。
ワイヤレス受信制御装置１の受信周波数は、周波数入力部１７を操作することにより行われるが、アンテナ装置２は周波数入力部を備えず、ワイヤレス受信制御装置１からの受信周波数設定信号により受信周波数が設定される。
【００２９】
即ち、ワイヤレス受信制御装置１の信号処理部１１が、周波数入力部１７において設定された受信周波数に基づいて、受信周波数設定信号を生成し、外部インターフェイス部１６が、この受信周波数設定信号をアンテナ装置２へ出力する。従って、ワイヤレス受信制御装置１の信号処理部１１及び外部インターフェイス１６は、設定信号出力手段として機能する。
【００３０】
アンテナ装置２の外部インターフェイス部２６が、この受信周波数設定信号を受信すると、この受信データを信号処理部２１へ入力する。周波数設定手段としての信号処理部２１は、この受信データに基づいて、受信周波数可変部１３へ制御信号を出力して、所望の周波数のワイヤレス信号を受信することが可能となる。
【００３１】
この様にして、ワイヤレス受信制御装置１の周波数入力部１７において入力された周波数を、ワイヤレス受信制御装置１に設定するだけでなく、信号線３で接続されたアンテナ装置２にも設定することができる。
そして、いずれかのアンテナ装置２がワイヤレス送信装置からのワイヤレス信号を受信すると、そのアンテナ装置２の信号処理部２１が、受信情報信号を生成して、外部インターフェイス２６が、ワイヤレス受信制御装置１へ出力する。
【００３２】
ワイヤレス受信制御装置１の外部インターフェイス部１６が、この受信情報信号を受信すると、この受信データを信号処理部１１へ入力する。信号処理部１１は、この受信データに基づいて、報知／表示部１５へ制御信号を出力して、所定の発報又は表示を行う。
この様な構成とすることにより、各アンテナ装置２に周波数入力部を設けなくても、受信周波数を設定することができ、各アンテナ装置２のコストダウンを図ることができる。また、各アンテナ装置２ごとに受信周波数の設定作業を行う必要がなく、ワイヤレス受信制御装置１においてのみ設定作業を行えば、全てのアンテナ装置２の設定も完了するために、作業時間の短縮することができる。特に、多数のアンテナ装置が設置されている場合や広い範囲にわたって設置されている場合には、大幅な作業時間の短縮を図ることができる。
【００３３】
次に、請求項２に記載した本発明によるワイヤレス受信システムについて以下に説明する。図４は、本発明によるワイヤレス受信システムの受信周波数設定信号の一構成例を示した図である。
上述した通り、特定小電力機器のワイヤレス通信システムについては、法令によりセキュリティシステム、テレコン／テレメータシステム等のシステムの種別によって使用できる周波数の範囲が予め定められている。このため、適用されるシステムの種別及びその種別に対応したチャンネル番号が特定できれば、使用する周波数を特定することができる。このため、図４に示した受信周波数設定信号は、システム種別及びチャンネルコードを含んで構成される。
【００３４】
即ち、この受信周波数設定信号は、スタートビット４０と、６ビットの送信データ４１と、パリティビット４２と、ストップビット４３とにより構成される。スタートビット４０は、データ送信の開始を識別するためのビットデータであり、ストップビット４３は、データ送信の終了を識別するためのビットデータであり、パリティビット４２は、パリティチェックのためのビットである。また、送信データ４１は、伝送すべき内容を示したデータであり、１ビットのシステムコード４１０及び５ビットのチャンネルコード４１１により構成される。
【００３５】
システムコード４１０は、システムの種別を示すデータであり、例えば、セキュリティシステム用の場合は「０」、テレコン／テレメータシステム用の場合は「１」となる。
また、チャンネルコード４１１は、使用するチャンネル番号等を２進数により示したデータであり、例えば、テレコン／テレメータシステムの場合は、「０００１」から「０１０１０」までの１０チャンネルのいずれか１チャンネルであり、セキュリティシステムの場合は、「０００１」から「１１０００」までの２４組のいずれかのチャンネル組合せであり、各チャンネル組合せは４８チャンネルのうちの２チャンネルが組み合わせられて成る。即ち、「０００１」は１チャンネルと２５チャンネルを示し、「１１０００」は１チャンネルと４８チャンネルを示す。従って、これら以外のチャンネルコードで送信データ４１が構成されている受信周波数設定信号の場合は無効とされる。
【００３６】
この様な受信周波数設定信号は、ワイヤレス受信制御装置１の信号処理部１１が、周波数入力部１７の設定に基づいて生成して、増設用アンテナ装置２へと出力される。
この受信周波数設定信号を受信したアンテナ装置２は、その信号処理部２１が、送信データ４１のシステムコード４１０及びチャンネルコード４１１を取り出して、これらのコードと受信周波数との関係を定めたテーブルを利用して、受信周波数を求める。
【００３７】
さらに、ワイヤレス受信制御装置１に複数のアンテナ装置２が接続されている場合であって、各アンテナ装置２に異なる周波数を設定したい場合には、各アンテナ装置２ごとに予め固有のアドレスを設定しておき、アドレスを付加した受信周波数設定信号をワイヤレス受信制御装置１が信号線３へ出力する構成とすればよい。
【００３８】
次に、請求項３に記載した本発明によるワイヤレス受信システムについて以下に説明する。本発明によるワイヤレス受信制御装置１の信号処理部１１は、タイマ手段（不図示）を備えて構成される。このタイマ手段は、所定時間を繰り返し計測するための手段であり、ソフトウエア又はハードウエアにより実現される時間計測手段である。
【００３９】
ワイヤレス受信制御装置１の信号処理部１１が、このタイマ手段の計測結果に基づいて、定期的に受信周波数設定信号を生成し、外部インターフェース部１６から送出する。従って、上記の所定時間とは、定期的な受信周波数設定信号の送出を行う際の送出間隔を定める時間であり、一定時間、或は、これに準じた時間とされる。
【００４０】
この様にして、ワイヤレス受信制御装置１から定期的に受信周波数設定信号を出力することにより、アンテナ装置２の受信周波数を、常に、ワイヤレス受信制御装置１の周波数入力部１７において設定された周波数に一致させることができる。
次に、請求項４から６に記載した本発明によるワイヤレス受信システムについて以下に説明する。図５の５００〜５０３は、これらの本発明によるワイヤレス受信制御装置１の基本動作の一例を示したフローチャートである。
【００４１】
ワイヤレス受信制御装置１に電源が投入され、十分な時間が経過した後に、ワイヤレス受信制御装置１からアンテナ装置２へ受信周波数設定信号が送出される（５００）。
一方、ワイヤレス受信制御装置１への電源の投入により、信号線３の電源ラインを介してワイヤレス受信制御装置１から各アンテナ装置２にも電源が供給され、その後に上記受信周波数設定信号が送信される。
【００４２】
従って、ワイヤレス受信制御装置１の電源を投入してから受信周波数設定信号を送出するまでの時間は、ワイヤレス受信制御装置１及びアンテナ装置２の内部回路が安定するために十分な時間とされる。
通常、初めての電源投入時には、アンテナ装置２には受信周波数が設定されていないため、電源投入の直後に受信周波数設定信号を送信することによって、アンテナ装置２に受信周波数を設定することができる。
【００４３】
また、アンテナ装置２に既に設定された受信周波数の情報が、電源の遮断により失われる構成とされている場合には、電源の投入の際に毎回、受信周波数設定信号を送出することにより、常に、アンテナ装置２に受信周波数を設定しておくことができる。
次に、ワイヤレス受信制御装置１がリセットされた場合にも、ワイヤレス受信制御装置１からアンテナ装置２へ受信周波数設定信号が送出される（５０１）。リセットとは、ワイヤレス受信制御装置１を初期化する操作であり、例えば、ワイヤレス受信制御装置１に不具合が発生したり、設定操作を誤ったような場合に行う。
【００４４】
従って、リセット後に受信周波数設定信号を自動的に送出し、アンテナ装置２を再設定することにより、ワイヤレス受信システムを正常に動作させることができる。
電源投入後の信号送出（５００）又はリセット後の信号送出（５０１）を行った後、ワイヤレス受信制御装置１の信号処理部１１が、周波数入力部１７により周波数が変更されたかどうかを検査する（５０２）。この結果、受信周波数が変更されている場合には、ワイヤレス受信制御装置１からアンテナ装置２へ受信周波数設定信号が送出される（５０３）。電源投入中は、同様の検査（５０２）を繰り返し行って、受信周波数の設定が変更されるごとに、受信周波数設定信号を送出する（５０３）。
【００４５】
従って、受信周波数が再設定され変更された場合には、新たな受信周波数をアンテナ装置２に自動的に再設定することができるため、受信周波数が再設定された場合であっても、ワイヤレス受信制御装置１の周波数入力部１７により設定された周波数と、アンテナ装置２に設定された受信周波数とを一致させておくことができる。
【００４６】
次に、請求項７及び８に記載した本発明によるワイヤレス受信システムについて以下に説明する。図６の６００〜６０５は、これらの本発明によるワイヤレス受信制御装置１の基本動作の一例を示したフローチャートである。この図における６００〜６０３は、図５における５００〜５０３と同一のものであり、６０４及び６０５が新たに加えられている。
【００４７】
ワイヤレス受信制御装置１の信号処理部１１は、アンテナ装置２からの設定要求信号を監視する（６０４）。この設定要求信号は、アンテナ装置２がワイヤレス受信制御装置１に対し、受信周波数設定信号の送出を要求する際に送出するものであり、アンテナ装置２の信号処理部２１が生成し、外部インターフェイス部２６から信号線３へ送出される。
【００４８】
この設定要求信号がワイヤレス受信制御装置１の外部インターフェイス部１６により受信され、信号処理部１１へ入力されると、信号処理部１１は、受信周波数設定信号を生成し、外部インターフェイス部１６がアンテナ装置２へ送出する（６０５）。
この様にして、アンテナ装置２の要求により、ワイヤレス受信制御装置１から受信周波数設定信号が送出されるため、例えば、アンテナ装置２において不具合が発生した様な場合にも、周波数を再設定することができる。
【００４９】
図７の７００〜７０１は、アンテナ装置２の基本動作の一例を示したフローチャートである。このアンテナ装置２は、アンテナ装置２がリセットされた場合に、アンテナ装置２からワイヤレス受信制御装置１へ設定要求信号が送出される（７００）。リセットとは、アンテナ装置を初期化する操作であり、例えば、アンテナ装置２に不具合が発生したような場合に行う。
【００５０】
アンテナ装置２の信号処理部２１は、上記設定要求信号の送信後に、ワイヤレス受信制御装置１から受信周波数設定信号が送出されたかどうかを検査する（７０１）。この結果、受信周波数設定信号が送出されていない場合には、引続いて設定要求信号を送出する（７００）。一方、受信周波数設定信号を受信できた場合には、設定要求信号の送出を停止し、その受信信号に基づいて受信周波数の設定を行う。
【００５１】
アンテナ装置２がリセットされた場合には、受信周波数を再設定する必要があるが、ワイヤレス受信制御装置１は、アンテナ装置２がリセットされたことを検知できず、受信周波数設定信号を出力することはできない。
このため、アンテナ装置２のリセット後に、アンテナ装置２からワイヤレス受信制御装置１へ設定要求信号を送出し、これを受信したワイヤレス受信制御装置１が受信周波数設定信号を送出することにより、アンテナ装置２のリセット後にその受信周波数を自動的に再設定することができる。
【００５２】
請求項９及び１０に記載した本発明によるワイヤレス受信システムについて以下に説明する。このワイヤレス受信システムは、ワイヤレス受信制御装置が、ワイヤレス送信装置から発せられた周波数チャンネルコードを含む通信制御データを受信するための受信用アンテナを備え、受信周波数を登録するための登録モード時には、図２に示したワイヤレス受信制御装置１の受信周波数可変部１３が、周波数の異なる複数のキャリア信号を順次切り換えてワイヤレス信号受信部１２へ出力する手段として構成される。
【００５３】
登録モード時において、ワイヤレス送信装置が、予め定められた複数の周波数チャンネルを順次切り換えて通信制御データを変調発信する一方、ワイヤレス受信制御装置１の受信周波数可変部１３が、予め定められた複数の周波数チャンネルを順次切り換え、ワイヤレス信号受信部１２が、受信周波数可変部１３からのキャリア信号に基づいて、受信用アンテナ１０により受信した通信制御データを復調処理する。
【００５４】
ワイヤレス受信制御装置１の信号処理部１１は、ワイヤレス信号受信部１２において復調された上記通信制御データからＩＤコード及び周波数チャンネルコードを取り出して、メモリ部１４に格納する。上記周波数チャンネルコードは、通常モード時（登録モード時以外の通信時）にワイヤレス送信装置が通信データの変調に使用するキャリア信号の周波数を示している。
【００５５】
この様にして、通常モード時においてワイヤレス送信装置が使用する周波数チャンネルが得られれば、メモリ部１４に登録された周波数チャンネルコードに基づいて、信号処理部１１が受信周波数設定信号を生成して、外部インターフェース部１６を介して増設用アンテナ装置２へ送出して、増設用アンテナ装置２の受信周波数を設定する。
【００５６】
即ち、このワイヤレス受信システムは、ワイヤレス送信装置からの通信制御データに基づいて、増設用アンテナ装置２の受信周波数を設定することができるため、ワイヤレス受信制御装置１に図２に示した周波数入力部１７を備える必要がなく、設定作業も容易となる。更に、設定ミスの発生を防止することもできる。例えば、ワイヤレス受信システムの施工前に、ワイヤレス受信制御装置１に対して、全てのワイヤレス送信装置から通信制御データを送信して、各ワイヤレス送信装置の使用する周波数チャンネルをワイヤレス受信制御装置１のメモリ部１４に格納する。そして、ワイヤレス受信システムの施工後に、ワイヤレス受信制御装置１から各アンテナ装置２に対して、受信周波数設定信号を送出して、メモリ部１４に記憶している周波数チャンネルを各アンテナ装置２に設定するれば、スイッチング手段を操作することにより、受信周波数を入力する作業は不要となる。
【００５７】
請求項１１に記載した本発明によるワイヤレス受信システムについて以下に説明する。このワイヤレス受信システムは、マルチスキャン型の受信システムとして構成されるものであり、通常モード時において、各アンテナ装置２が、設定された複数の周波数をスキャン（走査）して、ワイヤレス送信装置からのワイヤレス信号を受信する。
【００５８】
即ち、各アンテナ装置２には、登録モードにおいて、複数の周波数チャンネルが設定され、通常モード時において、図３に示した各アンテナ装置２の受信周波数可変部２３が、これらの複数の周波数チャンネルを順次切り換えてキャリア信号を生成し、ワイヤレス信号受信部２２が、このキャリア信号により受信したワイヤレス信号を復調する。
【００５９】
ワイヤレス受信制御装置１が受信用アンテナ１０を備えて構成されている場合には、同様にして、ワイヤレス受信制御装置１が通常モード時に受信動作する場合についてもマルチスキャン型として動作する。
各アンテナ装置２に設定される複数の周波数チャンネルは、上述した実施例と同様、ワイヤレス受信制御装置１からアンテナ装置２に対して送出される受信周波数設定信号により行われる。例えば、ワイヤレス受信制御装置１がアンテナ装置へ送出する受信周波数設定信号が、複数の周波数チャンネル情報を含んで構成される方式や、図４に示したものと同様、単一の周波数チャンネル情報のみを含んで構成される受信周波数設定信号であって、その信号に含まれる周波数チャンネル情報の異なる複数の信号を、順次、ワイヤレス受信制御装置１からアンテナ装置２に送出する方式などがある。
【００６０】
なお、上記複数の周波数チャンネルの設定方法については、ワイヤレス受信制御装置１に備えられた周波数入力部１７により入力設定される構成とすることも、ワイヤレス送信装置から送出される通信制御データにより設定される構成とすることもできる。
【００６１】
【発明の効果】
請求項１に記載した本発明によるワイヤレス受信システムは、増設用アンテナ装置とワイヤレス受信制御装置とが信号線により接続されて構成され、アンテナ装置が信号線を介してワイヤレス受信制御装置からの受信周波数設定信号を受信し、この受信周波数設定信号に基づいて、受信すべきワイヤレス信号の周波数を選択設定する。
【００６２】
従って、アンテナ装置に周波数設定手段を設けなくても、受信周波数を選択設定することができ、各アンテナ装置のコストダウンを図ることができる。また、各アンテナ装置ごとに受信周波数の設定作業を行う必要がなく、ワイヤレス受信制御装置においてのみ設定作業を行えば、接続されている全てのアンテナ装置の設定も完了するために、作業時間の短縮することができる。特に、多数のアンテナ装置が設置されている場合や広い範囲にわたって設置されている場合には、大幅な作業時間の短縮を図ることができる。
【００６３】
請求項２に記載した本発明によるワイヤレス受信システムは、ワイヤレス受信制御装置からアンテナ装置へ送出される受信周波数設定信号が、適用される通信システムの種別を示すシステムコードと、使用する周波数チャンネルを示すチャンネルコードとを含んで構成される。
システムコード及びチャンネルコードと周波数の対応関係が予め定められていれば、この受信周波数設定信号を受信したアンテナ装置は、受信信号からシステムコード及びチャンネルコードを取り出して、受信周波数を特定することができる。従って、送信信号のデータ量を減少させることができ、誤って所定の周波数以外の周波数に設定されることがない。
【００６４】
請求項３に記載した本発明によるワイヤレス受信システムは、ワイヤレス受信制御装置からアンテナ装置へ所定時間ごとに受信周波数設定信号が送出され、アンテナ装置が受信周波数が定期的に設定される。
従って、アンテナ装置が受信すべきワイヤレス信号の周波数を、常に、ワイヤレス受信制御装置において設定した周波数に一致させ、両者間に不一致が生じることを防止することができる。
【００６５】
請求項４に記載した本発明によるワイヤレス受信システムは、ワイヤレス受信制御装置の電源投入後に、ワイヤレス受信制御装置からアンテナ装置へ受信周波数設定信号が送出され、アンテナ装置に受信周波数を設定する。
通常、初めての電源投入時には、アンテナ装置には受信周波数が設定されていない。また、アンテナ装置に既に設定された受信周波数の情報が、電源の遮断により失われる構成とされている場合もある。この様な場合に、電源の投入の際に毎回、受信周波数設定信号を送出することにより、常に、アンテナ装置に受信周波数を設定しておくことができる。
【００６６】
請求項５に記載した本発明によるワイヤレス受信システムは、ワイヤレス受信制御装置のリセット後に、ワイヤレス受信制御装置からアンテナ装置へ受信周波数設定信号が送出され、アンテナ装置に受信周波数を設定する。
従って、ワイヤレス受信制御装置のリセット後に受信周波数設定信号を自動的に送出し、アンテナ装置を再設定することにより、リセット後もワイヤレス受信システムを正常に動作させることができる。
【００６７】
請求項６に記載した本発明によるワイヤレス受信システムは、ワイヤレス受信制御装置において受信周波数を変更するごとに、ワイヤレス受信制御装置からアンテナ装置へ受信周波数設定信号が送出され、アンテナ装置に受信周波数を設定する。
従って、受信周波数が再設定され場合に、新たな受信周波数をアンテナ装置に自動的に再設定することができるため、受信周波数が変更された場合であっても、ワイヤレス受信制御装置において設定された周波数と、アンテナ装置に設定された受信周波数とを常に一致させておくことができる。
【００６８】
請求項７に記載した本発明によるワイヤレス受信システムは、アンテナ装置からワイヤレス受信制御装置へ設定要求信号を送出し、この設定要求信号に基づいて、ワイヤレス受信制御装置が受信周波数設定信号を送出する。
即ち、ワイヤレス受信制御装置から受信周波数設定信号が送出されていない場合であって、アンテナ装置の受信周波数を再設定したい場合に、ワイヤレス受信制御装置に対して、受信周波数設定信号の送出を要求することができ、アンテナ装置が能動的に受信周波数の再設定を行うことができる。
【００６９】
従って、あるアンテナ装置において不具合等が発生し、ワイヤレス受信制御装置がこれを検知することができない場合であっても、アンテナ装置の周波数の再設定を行うことができる。
請求項８に記載した本発明によるワイヤレス受信システムは、アンテナ装置のリセット後に、アンテナ装置からワイヤレス受信制御装置へ設定要求信号が出力さる。
【００７０】
従って、アンテナ装置のリセット後に、自動的にワイヤレス受信制御装置から受信周波数設定信号を送出し、アンテナ装置の受信周波数を再設定して、リセット後もワイヤレス受信システムを正常に動作させることができる。
請求項９及び１０に記載した本発明によるワイヤレス通信システムは、上記ワイヤレス受信システムは、登録モード時において、ワイヤレス受信制御装置が、ワイヤレス送信装置から発せられた通信制御データの変調波を受信すると、その通信制御データから周波数チャンネル情報を取り出して、通信情報メモリに登録するとともに、受信周波数設定信号をアンテナ装置に対して送出する。
【００７１】
従って、ワイヤレス送信装置の使用する周波数チャンネルをアンテナ装置に設定する際の設定操作が簡易化されて、設定ミスの発生を防止することもでき、システム構築時の設定作業が大幅に軽減される。
請求項１１に記載した本発明によるワイヤレス通信システムは、上記ワイヤレス受信システムは、ワイヤレス受信制御装置から送出される受信周波数設定信号により、各アンテナ装置に周波数チャンネルが設定され、各アンテナ装置は、これらの周波数チャンネルを順次切り換えて受信復調する。
【００７２】
従って、ワイヤレス受信制御装置が、アンテナ装置の受信周波数を設定するワイヤレス受信システムを、マルチスキャン型のワイヤレス受信システムとして構成することができる。
【図面の簡単な説明】
【図１】請求項１に記載した本発明によるワイヤレス受信システムのシステム構成の一例を示した図である。
【図２】図１に示したワイヤレス受信制御装置の一構成例示した図である。
【図３】図１に示したアンテナ装置の一構成例示した図である。
【図４】請求項２に記載した本発明によるワイヤレス受信システムの受信周波数設定信号の一構成例を示した図である。
【図５】請求項４から６に記載した本発明によるワイヤレス受信制御装置の基本動作の一例を示したフローチャートである。
【図６】請求項７及び８に記載した本発明によるワイヤレス受信制御装置の基本動作の一例を示したフローチャートである。
【図７】請求項７及び８に記載した本発明によるアンテナ装置の基本動作の一例を示したフローチャートである。
【符号の説明】
１  ・・・ワイヤレス受信制御装置
１１、１６・・・設定信号出力手段
１２・・・ワイヤレス信号受信手段
１４・・・記憶部
２  ・・・アンテナ装置
２０・・・受信用アンテナ
２１・・・受信周波数設定手段
２２・・・ワイヤレス信号受信手段
２１、２６・・・要求信号出力手段
３  ・・・信号線
４１０・・・システムコード
４１１・・・チャンネルコード
【図１】
0003596122.tif 000002
【図２】
0003596122.tif 000003
【図３】
0003596122.tif 000004
【図４】
0003596122.tif 000005
【図５】
0003596122.tif 000006
【図６】
0003596122.tif 000007
【図７】
0003596122.tif 000008